(57)【要約】【課題】  光ファイバどうしを容易に接続させて、基板や収納箱内などに簡単に取付けることができる光ファイバの接続装置及び接続方法を提供する。【解決手段】  光ファイバ５１と６、および光ファイバ５２と７を突合せた状態で固定して接続を図る光ファイバの接続装置１であって、閉止することで光ファイバどうしを対向させて固定保持する挟持部材２と、挟持部材２を挿入させる挿入孔３１を設けた固定ブロック３とを備えた。挟持部材２は、光ファイバ５１と６（５２と７）を突合せた状態で載置するＶ溝を設けた基部と、このＶ溝に落とし込ませた状態で基部を閉止させて光ファイバ５１と６（５２と７）を固定する蓋部と、基部および蓋部を連結するヒンジ部とを備えた。【選択図】  図１
2006048030.tif 000002
【特許請求の範囲】
【請求項１】
光ファイバを突合せた状態で挟持する挟持部材と、前記光ファイバを固定し挟持した状態のまま前記挟持部材を保持する固定ブロックとを備えた光ファイバの接続装置であって、
前記固定ブロックは、前記挟持部材を挿入する挿入孔を備え、
前記挟持部材は、前記光ファイバを載置する溝を設けた基部と、この溝に前記光ファイバを落とし込ませた状態のままで前記基部に対向配置して前記光ファイバを固定する蓋部と、前記基部および蓋部を連結するヒンジ部とを備えたことを特徴とする光ファイバの接続装置。
【請求項２】
前記固定ブロックは、前記接続すべき光ファイバの少なくとも一方とともにケーブル内に設けられた繊維状テンションメンバを止め付けるためのテンションメンバ止め部材を嵌合する、固定孔を一面に穿設している請求項１に記載の光ファイバの接続装置。
【請求項３】
前記繊維状テンションメンバは、光ファイバを蛇行させた弛みの状態を確保して、前記テンションメンバ止め部材に止め付けてある請求項２に記載の光ファイバの接続装置。
【請求項４】
前記固定ブロックは、基板または収納箱内の内面に固定する固定手段を備える請求項１〜３のいずれか１項に記載の光ファイバの接続装置。
【請求項５】
光ファイバどうしを突合せた状態で保持して接続する光ファイバの接続方法であって、  前記光ファイバを突合せた状態で挟持部材の溝に挟持し、
前記光ファイバを固定し挟持した前記挟持部材を固定ブロックに設けた挿入孔に挿入して保持することを特徴とする光ファイバの接続方法。
【請求項６】
少なくとも一方がケーブル内に繊維状テンションメンバを設けてある光ファイバどうしを突合せた状態で接続する光ファイバの接続方法であって、
前記繊維状テンションメンバをテンションメンバ止め部材に止め付け、
前記繊維状テンションメンバを止め付けたテンションメンバ止め部材を固定ブロックに穿設した固定孔に嵌合し、
前記光ファイバを突合せた状態で挟持部材の溝に挟持し、
前記光ファイバを固定し挟持した前記挟持部材を固定ブロックに設けた挿入孔に挿入して保持することを特徴とする光ファイバの接続方法。
【請求項７】
前記挟持部材を前記固定ブロックに設けた挿入孔に挿入して保持した後、
固定ブロックを分電盤の基板または収納箱内の内面に固定する請求項５または６に記載の光ファイバの接続方法。
【発明の詳細な説明】
【技術分野】
【０００１】
本発明は、光ファイバの接続装置及び接続方法に関する。
【背景技術】
【０００２】
光ファイバをビル内の複数の使用者間の通信手段などとして使用する場合、複数の光ファイバを１本のケーブル内に収めた、多心光ファイバケーブルを用いることが多い。この多心光ファイバケーブルでは、例えばケーブルの途中で光ファイバを必要な数だけ取り出して分岐する（例えば、各フロアごとに）ことで、光ファイバの敷設作業を簡素化することができる。
【０００３】
このような途中分岐を行う場合、途中分岐した光ファイバと接続すべき相手側の光ファイバとを互いに付き合わせ対向配置した状態で機械的に固定することにより接続を行っているが、この接続手段として、Ｖ溝を用いて光ファイバを固定するメカニカルスプライスなどが各種開発されている。メカニカルスプライスとしては、専用工具を用いてＶ溝と蓋を開いてから光ファイバを挿入するものが一般的であるが、プラスチック光ファイバを用いて簡単に挿入できるものも知られている（例えば、特許文献１参照）。特に、フッ素系樹脂からなるプラスチック光ファイバは、ＰＭＭＡ（ポリメチルメタアクリレート）樹脂では成し得なかった近赤外光の伝送特性に優れるため、中距離通信用として有用である。
【特許文献１】特開２００２−３２８２５１号公報
【発明の開示】
【発明が解決しようとする課題】
【０００４】
しかしながら、上記公報に記載のものは、クリップで下部保持部材と蓋を挟んだ状態で光ファイバを挿入するので、クリップの強度を強くできない。そのため、光ファイバの保持力が弱かった。このような事情から、別に光ファイバを固定する部品が必要であり、全体として大きな設置空間が必要であった。
【０００５】
本発明は、上記事情に鑑みてなされたもので、光ファイバどうしを容易に接続させて、分電盤の基板の一部や小さな収納箱内などせまい空間に簡単に取付けることができ、かつ光ファイバの保持力が強い光ファイバの接続装置及び接続方法を提供することを目的とする。例えば、既設の電話線が収納された狭いプレキャスト管（以下、「ＰＣ管」という）内に、容易にかつ光の伝送特性を損なうことなく、後付で敷設できる光ファイバケーブルにおいて、既設の電話線及びコネクタが収納されているＪＩＳ  Ｃ  ８４３５に記載された露出用丸型ボックス内に取り付けることができるほど小さく、かつ光ファイバの保持力に優れる光ファイバの接続装置及び接続方法を提供する。
【課題を解決するための手段】
【０００６】
本発明は、光ファイバを突合せた状態で挟持する挟持部材と、前記光ファイバを固定し挟持した状態のまま前記挟持部材を保持する固定ブロックとを備えた光ファイバの接続装置であって、前記固定ブロックは、前記挟持部材を挿入する挿入孔を備え、前記挟持部材は、前記光ファイバを載置する溝を設けた基部と、この溝に前記光ファイバを落とし込ませた状態のままで前記基部に対向配置して前記光ファイバを固定する蓋部と、前記基部および蓋部を連結するヒンジ部とを備えたことを特徴とする光ファイバの接続装置を提供する。
【０００７】
また、前記接続すべき光ファイバの少なくとも一方は、ケーブル内に繊維状テンションメンバとともに多心に設けてあるプラスチック光ファイバであって、前記固定ブロックは、前記繊維状テンションメンバを止め付けるためのテンションメンバ止め部材を嵌合する、固定孔を一面に穿設していることを特徴とする上記光ファイバの接続装置を提供する。
【０００８】
また、前記繊維状テンションメンバは、光ファイバを蛇行させた弛みの状態を確保して、前記テンションメンバ止め部材に止め付けてあることを特徴とする上記光ファイバの接続装置を提供する。
【０００９】
また、前記固定ブロックは、基板または収納箱内の内面に固定する固定手段を備えることを特徴とする上記光ファイバの接続装置を提供する。
挟持部材は、基部、蓋部およびヒンジ部からなることが好ましい。基部と蓋部の好適な寸法は、長さ（ファイバ長手方向）が１０〜２０ｍｍ、高さ及び幅が２〜５ｍｍである。ヒンジ部の好適な寸法は、高さが１〜４ｍｍ、幅が２〜５ｍｍである。
固定ブロックの好適な寸法としては、長さ（ファイバ長手方向）が２０〜４０ｍｍ、高さが１０〜２０ｍｍ、幅が１０〜１５ｍｍである。
本発明における固定ブロックに、テンションメンバ止め部材が嵌合された場合、該テンションメンバ止め部材の好適な寸法は、高さが３〜６ｍｍ、幅が３〜６ｍｍである。
【００１０】
また、本発明は、光ファイバどうしを突合せた状態で保持して接続する光ファイバの接続方法であって、前記光ファイバを突合せた状態で挟持部材の溝に挟持し、前記光ファイバを固定し挟持した前記挟持部材を固定ブロックに設けた挿入孔に挿入して保持することを特徴とする上記光ファイバの接続方法を提供する。
【００１１】
また、本発明は、少なくとも一方がケーブル内に繊維状テンションメンバを設けてある光ファイバどうしを突合せた状態で接続する光ファイバの接続方法であって、前記繊維状テンションメンバをテンションメンバ止め部材に止め付け、前記繊維状テンションメンバを止め付けたテンションメンバ止め部材を固定ブロックに穿設した固定孔に嵌合し、前記光ファイバを突合せた状態で挟持部材の溝に挟持し、前記光ファイバを固定し挟持した前記挟持部材を固定ブロックに設けた挿入孔に挿入して保持することを特徴とする上記光ファイバの接続方法を提供する。
【００１２】
また、前記挟持部材を前記固定ブロックに設けた挿入孔に挿入して保持した後、固定ブロックを分電盤の基板または収納箱の内面に固定することを特徴とする上記の光ファイバの接続方法を提供する。
【発明の効果】
【００１３】
本発明によれば、簡易な構成で接続作業を容易に行うことができるとともに、分電盤の基板や小さな収納箱の内部などに簡単に取付けることができ、かつ光ファイバの保持力に優れる光ファイバの接続装置及び接続方法を提供できる。
【発明を実施するための最良の形態】
【００１４】
以下、本発明の実施形態について、添付図面を参照しながら詳細に説明する。
図１は、本発明に係る光ファイバの接続装置１を示すものであり、この光ファイバの接続装置１は、ビル内の図示しない複数の通信機器どうしを接続させるため、ＬＡＮ用の通信配線としてプラスチック光ファイバ（以下、「ＰＯＦ」とよぶ）５１、５２、６、７の各心線どうしを固定して接続するようになっており、挟持部材２と、固定ブロック３と、テンションメンバ止め部材４とを備えている。
【００１５】
なお、ＰＯＦ５１、５２、６、７の心線のうち、ＰＯＦ５１、５２は、光ファイバケーブル５（図８参照）から被覆部５０を取除いて露出させて分岐させている。
【００１６】
挟持部材２は、閉じ合わせることでＰＯＦ５１と６(及び、ＰＯＦ５２と７)を互いに対向させ突合せた状態のまま固定させるものである。図２（Ａ）に示すように、挟持部材２は、Ｖ溝２１１を設けた基部２１と、このＶ溝２１１に落とし込ませた状態で基部２１を閉止させてＰＯＦ５１と６(及び、ＰＯＦ５２と７)を固定する蓋部２２と、基部２１および蓋部２２を折り曲げ自在に連結するヒンジ部２３とを備えている。また、この挟持部材２には、図２（Ｂ）に示すように、ＰＯＦ５１と６（及びＰＯＦ５２と７）を突合せた状態で搭載したのち、片手または両手で基部２１と蓋部２２とが嵌合するように閉じ合わせることで、基部２１および蓋部２２を閉止状態に保持する止着手段２４を有する。この止着手段２４としては、蓋部２２に設けた嵌合突起２４１と、基部２１に設け嵌合突起２４１が嵌合する嵌合孔２４２とを備える。この挟持部材２の基部２１と蓋部２２の好適な寸法としては、長さ（ファイバ長手方向）が１０〜２０ｍｍ（本実施形態では１３ｍｍ）、高さ及び幅が２〜５ｍｍ（本実施形態では３ｍｍ）、またヒンジ部２３は、高さが１〜４ｍｍ（本実施形態では２ｍｍ）、幅が２〜５ｍｍである。
なお、接続現場まで部品などを運搬途中でこの挟持部材２が閉じ合わされ止着手段でしっかりと止着されてしまうと、現場でのＰＯＦどうしの接続作業の際に、基部２１と蓋部２２とを開いて開放させるのに手間取るおそれがある。そこで、予め適宜のダミー部材を双方の間に挟んでおいて完全に閉止されるのを防止してもよい。
【００１７】
固定ブロック３は、図３（Ａ）に示すように一面に挿入孔３１と引出口３２とを設けているとともに、同図（Ｂ）に示すように反対面にテンションメンバ止め部材４（図示省略）を嵌合する嵌合孔３３を穿設している。挿入孔３１は、ＰＯＦ５１、６(及び、ＰＯＦ５２と７)を突合せた状態で挟持している挟持部材を、ヒンジ部２３側から挿入して固定するような構造を有しており、奥部が一段狭まったステップ状に形成されている。嵌合孔３３は、略コ字型を呈する溝状の細孔であって、互いに向かい合わせの状態でファイバ長手方向に半分の長さだけずれた配置で穿設している。また、この固定ブロック３は、適宜の部位、例えば本実施形態では分電盤の基板８（又は、図示外の収納箱の内面、例えば床面など）に固定するための固定手段を設けている。
この固定手段は、引出口３２に穿設したねじ孔３４で構成しており、ここに小ねじ（ビス）などを差込んで基板８に螺着する。この固定ブロック３の好適な寸法としては、長さ（ファイバ長手方向）が２０〜４０ｍｍ（本実施形態では３２ｍｍ）、高さが１０〜２０ｍｍ（本実施形態では１４ｍｍ）、幅が１０〜１５ｍｍ（本実施形態では１１ｍｍ）である。また、基板８は、接続装置１のＰＯＦ５１、５２、６、７を固定して接続する領域の広さが、縦×横の寸法が（１０〜３０ｍｍ）×（６０〜１００ｍｍ）（本実施形態では３０×８０ｍｍ）の大きさのものを使用している。
【００１８】
テンションメンバ止め部材４は、ＰＯＦケーブルのテンションメンバ５３を止め付けて固定ブロック３の嵌合孔３３に嵌合するものである。このテンションメンバ止め部材４は、図４（Ａ）から（Ｃ）に示すように、略薄板状の基部４１に略コ字型の突起部４２、４３がテンションメンバ長手方向半分程度ずらした状態で互いに対向するように突設されており、この突起部４２、４３の間にテンションメンバ５３を止着させる。また、この突起部４２、４３に隣接する基部４１部分には、テンションメンバ５３を係止するための係止孔４４〜４６が切欠いてある。
【００１９】
このうち、突起部４２、４３は、先端の方が開いた（尖った）形状にしてテンションメンバ５３を装着し易くするため、側面が略三角形状を有しており、この突起部４２、４３の間にテンションメンバ５３を挟み付ける。また、係止孔４４〜４６は、テンションメンバ５３の突起部４２、４３に挟み付けた部分の両外側部分を係止させて仮止めするものである。この突起部４２、４３は、図５（Ａ）、（Ｂ）に示すテンションメンバ５３を突起部４２、４３に係止させたのち、図６（Ａ）、（Ｂ）に示すように固定ブロック３に差込み、図７（Ａ）、（Ｂ）に示すように最後まで深く嵌合させると、テンションメンバ５３が突起部４２、４３の間に深く押し込められ、しっかりと抜け止めされる。このテンションメンバ止め部材４の好適な寸法としては、高さが３〜６ｍｍ（本実施形態では４ｍｍ）、幅が３〜６ｍｍ（本実施形態では４ｍｍ）、溝４４、４５間の距離が３〜７ｍｍ（本実施形態では４ｍｍ）である。
【００２０】
次に、図８〜図１３を参照しながら光ファイバの分岐接続作業について説明する。
（１）初めに、図８（Ａ）から（Ｄ）に示すように、光ファイバケーブル５の被覆部５０を所望の分岐部位のところから所要の長さだけ剥ぎ取り、露出する心線(ＰＯＦ５１、５２・・・)とテンションメンバ５３とを分離するとともに、分岐する心線数だけＰＯＦを切断する。この切断させたＰＯＦが図１に示すＰＯＦ５１、５２である（第１ステップ）。また、テンションメンバ５３も切断し、テンションメンバ５３１、５３２とする。また、相手側の光ファイバケーブルもＰＯＦ６、７を露出させておく。
（２）次に、図９に示すように、露出するテンションメンバ５３１、５３２を、テンションメンバ止め部材４を用いて固定ブロック３の裏面に止め付けておく（第２ステップ）。
即ち、初めに、光ファイバケーブル５から露出するテンションメンバ５３１をテンションメンバ止め部材４の突起部４２、４３の間に止着させる（図５参照）とともに、係止孔４４〜４６に係止させる（図６参照）。このようにしてテンションメンバ５３１を仮止めしたならば、テンションメンバ止め部材４を固定ブロック３の嵌合孔３３に突起部４２、４３を差し込んで嵌合する（図７参照）。これにより、図９に示すように、テンションメンバ５３１が固定ブロック３の裏面に、止着後の引抜張力が２０〜５０Ｎとなる力でしっかりと止着される。引抜張力とは、止着後のテンションメンバを引っ張ったとき、テンションメンバが止着部から抜けない最大張力のことである。同様に、テンションメンバ５３２も固定する。テンションメンバ５３１、５３２を固定する位置は、心線５１、５２と切断しない心線５４が適当なたるみを持つような位置とする。
（３）その後、図１０に示すように、固定ブロック３を基板８にビスなどの小ねじで固定する（第３ステップ）。これにより、テンションメンバ止め部材４は、固定ブロック３と基板８との間に挟持されることとなる。その結果、テンションメンバがテンションメンバ止め部材４と固定ブロック３との間に固定され抜けなくなる。
（４）次に、心線５１、５２などが露出する分岐部分を除く光ファイバケーブル５の被覆部５０が残っている部分（心線の非露出部）を、基板８側に適宜の手段で、例えば図１１に示すように、略リング状の止着け部材９などで固定させる。また、接続させる相手側の光ファイバケーブルの被覆部（心線の非露出部）も基板８に同様の適宜の手段で固定させる。なお、相手側のＰＯＦも、前述したように光ファイバケーブル先端の被覆部を予め剥ぎ取って露出させておく。また、この光ファイバケーブルにもテンションメンバがある場合には、テンションメンバも第２ステップの段階で、同様のテンションメンバ止め部材４を用いて固定ブロック３の嵌合孔３３に突起部４２、４３を差込み、嵌合させておく（第４ステップ）。なお、ＰＯＦ５１と６の端面は、カミソリ刃を用いて切断面がファイバ長軸と垂直かつ平滑になるように切断する。また、さらに研磨処理を施して、端面がより平滑になるように処理を施すことが好ましい。
（５）ここで、図１２（Ａ）から（Ｄ）に示すように、挟持部材２のＶ溝に２本のＰＯＦ５１、６を突き合わせて接続する。即ち、基部２１と蓋部２２を開いた状態で、Ｖ溝２１１に（インデックス）マッチングオイルを滴下する（同図（Ａ）参照）。そして、この基部２１と蓋部２２を緩く閉じる（同図（Ｂ）参照）。次に、この挟持部材２の両端面側のＶ溝にＰＯＦ６と５１、および７と５２が互いに突き当たるようにそれぞれ挿入する（同図（Ｃ）参照）。その後、挟持部材２の基部２１と蓋部２２を閉じて固定し（同図（Ｄ）参照）挿入孔３１に入れる（第６ステップ）。このとき、挟持部材２から引き出されていたＰＯＦ５１と６(及び５２と７)の部分は、固定部材３の引出口３２から外部へ引き出す。このようにして、図１３に示すように、光ファイバケーブル５での分岐作業を容易にできる。
【００２１】
次に、２本の光ファイバを突き合わせて接続する他の方法について、図１６を参照しながら説明する。
はじめに、Ｖ溝にマッチングオイルを滴下しダミーファイバ２０を落とし込んだ挟持部材２を、固定ブロック３に挿入し固定させておく（同図（Ａ）参照）。そして、６角レンチなどの治具９を用いて挟持部材２の一方の端部が外部へ飛び出すように、固定ブロック３から挟持部材２を押し出す（同図（Ｂ）参照）。次に、その飛び出た方の端部からダミーファイバ２０を引き抜く（同図（Ｃ）参照）。この引き抜いた方の端面からＶ溝に一方側のＰＯＦ６、７を挿入する（同図（Ｄ）参照）。また、挟持部材２の飛び出していた方の端部を指で押すと自然に回動して、反対側の端部が外部に飛び出す（同図（Ｅ）参照）。そこで、同様にして、その飛び出た方の端部からダミーファイバ２０を引き抜く（同図（Ｆ）参照）。そして、この引き抜いた方の端面からＶ溝に一方側のＰＯＦ５１、５２を挿入し、相手側のＰＯＦ６、７に突き当たるまで押し込む（同図（Ｇ）参照）。最後に、挟持部材２を固定ブロック３の奥部に向けて指で押し込む（同図（Ｈ）参照）。
【００２２】
なお、本発明は、上述した実施形態に何ら限定されるものではなく、その要旨を逸脱しない範囲において種々の形態で実施し得るものである。
例えば、本実施形態の挟持部材２の基部及び蓋部は、側面部分が単純な四角形状ではなく、例えば側方部分が鼓状に膨出する膨出部２５を有する形状（図１４（Ａ）参照）、或いは固定ブロックの挿入孔に向けて挿入する先端側がテーパ状に傾斜したテーパ部２６を有する形状（図１４（Ｂ）参照）などであってもよい。即ち、基部及び蓋部の側方に膨出部２５を有すると、基部及び蓋部が固定ブロック３の挿入孔３１に線接触状態で保持されるので、挿入孔３１の内壁がいくらか傾いていても、例えば挿入孔３１の入り口が広く奥側が狭くなっていても、挟持部材２のほぼ中心で固定することができる。また、挿脱操作が容易に行える。また、基部及び蓋部の先端側にテーパ部２６を有すると、固定ブロック３の挿入孔３１へスムースに挿入できる。
【００２３】
一方、本実施形態の固定ブロック３は、挿入孔３１が、図１に示すように開口部分が単純なストレート状に落ち込んだ形状に穿設されているが、特にこれに限定されるものではない。
例えば図１５（Ａ）に示すように外側に向けて拡開した斜面を有するテーパ部３１１を形成してあってもよいし、同図（Ｂ）に示すように開口部分を広くするために一段段差を設けたステップ部３１２を形成してもよい。また、図示しないが、ステップ部３１２に拡開したテーパ部をさらに設けてもよい。
即ち、固定ブロック３にテーパ部３１１を設けてあれば、挟持部材２を固定ブロック３の挿入孔３１にがたつきなく円滑に挿入できる。また、この場合、固定ブロック３の挿入孔３１の開口部分にも拡開したテーパ部を形成してあれば、挿入動作をさらに滑らかに行うことができる。
また、固定ブロック３に段差を設けたステップ部を形成してあれば、一度その段差部に挟持部材２を仮置きしてから挿入孔３１にしっかりと挿入できるから、誤って傾いた状態で挿入されるといったことが防止できる。
本発明における挟持部材、固定ブロック及びテンションメンバ止め部材の材質は、樹脂を用いると射出成形により量産できるので好ましい。また、光ファイバが樹脂製である場合、該挟持部材、固定ブロック及びテンションメンバ止め部材の材質としては、該光ファイバの熱膨張特性と近い熱膨張特性の樹脂であることが好ましい。具体的には、例えばポリカーボネート樹脂、アクリル樹脂等が好ましく挙げられる。特に好ましくは、ポリカーボネート樹脂である。また、光ファイバの熱膨張特性と近い熱膨張特性となるように無機系フィラー等を添加した樹脂も用いうる。
【００２４】
本発明における光ファイバケーブルは、心線、繊維状テンションメンバおよび被覆部からなることが好ましい。本発明における光ファイバケーブルが有する心線の本数は、１〜２４本が好ましく、２〜８本がより好ましい。
本発明における心線の構造および材質は特に限定されず、公知の光ファイバケーブルで使用されている心線の構造および材質から広く選択することができる。心線の構造は、コアおよびクラッドからなり、該心線の導光部をなす中心部と、該中心部の外周を被覆する中心被覆部（心線外周）と、で構成されることが好ましい。中心部の構造としては、ステップインデックス（Ｓｔｅｐ  Ｉｎｄｅｘ）型（ＳＩ型）の構造であっても、屈折率分布（Ｇｒａｄｅｄ  Ｉｎｄｅｘ）型（ＧＩ型）の構造であってもよい。しかし帯域が高帯域であり通信容量が多く確保できるＧＩ型であることが好ましい。
また、光ファイバ心線の光伝播モードに関しては、シングルモードであってもよく、マルチモードであってもよい。
該心線の中心部の材質としては特に限定されず、ガラスや石英ガラスのような無機系材料であってもよく、含フッ素樹脂、ポリメチルメタクリレート（ＰＭＭＡ）樹脂、フッ素化ＰＭＭＡ樹脂、重水素化ＰＭＭＡ樹脂のような樹脂材料であってもよい。但し、柔軟性に優れ、心線どうしを接続する際の操作が容易であることから、樹脂材料が好ましい。樹脂材料の中でも、近赤外領域の波長吸収損失が少なく、使用できる光の波長領域が広いことから、含フッ素樹脂が好ましく、なかでも非晶質透明含フッ素樹脂が好ましく、主鎖に環構造を有する非晶質透明含フッ素樹脂が、伝送損失が低く、使用できる光の波長領域が広く、実質的使用可能温度範囲も広く最も好ましい。ここで心線の中心部の材質が、例えば含フッ素樹脂であり、心線の中心部が含フッ素樹脂からなるという表現は、中心部を構成する基礎となる樹脂が含フッ素樹脂であることを意味する。すなわち中心部の材料は、基礎となる含フッ素樹脂に加えて屈折率調整剤（ドーパント）等を含む樹脂組成物であってもよいことを意味する。
【００２５】
本発明における心線の中心被覆部の材料としては、価格、強度等の点からＰＭＭＡ樹脂が好ましい。
本発明における心線は、ＧＩ型の樹脂製のものであることが好ましい。ＧＩ型の樹脂製心線は、柔軟性に優れ、かつコア径が大きいため、心線同士の接続操作が非常に容易であるため好ましい。したがって、ＧＩ型の樹脂製の光ファイバ心線を有する光ファイバケーブルは、ファイバケーブル同士の終端部同士の接続が容易であるため、光通信ネットワークに使用するのに好適であり、特に該ネットワークの末端部分での使用に好適である。
本発明における心線の外径としては、４００〜１０００μｍであることが好ましい。
本発明における繊維状テンションメンバの材質としては、アラミド繊維、ポリエチレンテレフタレート（ＰＥＴ）繊維、炭素繊維、ガラス繊維等が使用できる。このうち、アラミド繊維を用いることが、剛性、柔軟性、繰り返し曲げによる繊維の破断を防止する点から好ましい。またアラミド繊維のうち、ヤング率が高い、いわゆる高モジュラス仕様のものが、少ない本数で抗張力体として高荷重に耐えられ、ケーブルを細く設計できるため好ましい。ここで高モジュラス仕様とは、初期モジュラスとして、ＡＳＴＭ−Ｄ８８５Ｍで測定されるコードモジュラスが、１００ＧＰａ以上であることが好ましい。アラミド繊維の代表例としては、東レ・デュポン社製の商品名「ＫＥＶＬＡＲ（登録商標）（Ｋ−４９）」、帝人社製の商品名「Ｔｗａｒｏｎ（登録商標）（Ｄ２２００）」が挙げられる。
【００２６】
本発明における被覆部の材料としては、通常はポリ塩化ビニルが使用されるが、ポリエチレンを含むポリオレフィン樹脂、ウレタン系樹脂、シリコンゴム等、他の樹脂材料であってもよい。被覆の厚さは０．２〜１．０ｍｍであることが好ましい。
本発明における光ファイバケーブルは、たとえば、既設の電話線が収納されているＰＣ管に挿入することにより敷設される。ＰＣ管の内径は、８〜４０ｍｍが好ましく、１０〜３０ｍｍがより好ましく、１２〜２３ｍｍがさらに好ましい。
本発明における光ファイバケーブルの外径は、１〜２０ｍｍが好ましく、２〜１５ｍｍがより好ましい。外径が、前記の範囲であると、内径が小さい、すなわち前記範囲内である既設の電話線等が収納されたＰＣ管の中に容易に挿入し敷設できる。
本発明における光ファイバーケーブルの許容引張加重は、５０〜１０００Ｎであることが好ましく、８０〜６００Ｎであることがより好ましい。許容引張加重とは、ＪＩＳ  Ｃ  ６８５１  ５（試験方法Ｅ１Ｂ）に記載の方法により測定したときの、引張り前に対する引張り時のケーブルの伸び率が１．０％以下、かつ、引っ張り加重解放後の伝送損失増加が、引張り加重前と比べて０．２ｄＢ以下である、引張加重のことである。本発明における光ファイバケーブルが、例えば既設の電話線等が収納されたＰＣ管内に挿入され敷設される場合、該ＰＣ管内に該光ファイバケーブルが挿入されることになる。挿入時、該ＰＣ管内の狭い空間に該光ファイバケーブルが挿入されるため、該ケーブルは強い力で引っ張られる。強い引張力が該光ファイバケーブルにかかることになるため、該光ファイバケーブルは前記の引張強度を有することが好ましい。
【００２７】
本発明における光ファイバケーブルの許容一時曲げ半径は、３〜１００ｍｍであることが好ましく、５〜８０ｍｍであることがより好ましく、８〜７０ｍｍであることがさらに好ましい。許容一時曲げ半径とは、ＪＩＳ  Ｃ  ６８５１  １４（試験方法Ｅ１１Ｂ）マンドレルに１８０度Ｕ字曲げ、に記載の方法により測定したときの、曲げ時の伝送損失の増加が１．５ｄＢ以下、解放時の、曲げ前に対する伝送損失の増加が０．２ｄＢ以下である、曲げ半径のことである。本発明における光ファイバケーブルが、ＰＣ管内に挿入、敷設される時、狭い空間に該ケーブルを挿入するため、ケーブルが折れ曲がることがある。しかし、該光ファイバケーブルの許容一時曲げ半径が前記の範囲であると、敷設時に折れ曲がったとしても、光ファイバの光の伝送特性が低下することがないため好ましい。また、本発明における光ファイバケーブルの許容固定曲げ半径は、２０〜２００ｍｍであることが好ましく、２５〜１５０ｍｍであることがより好ましい。許容固定曲げ半径とは、ＪＩＳ  Ｃ  ６８５１  １４（試験方法Ｅ１１Ｂ）マンドレルに１８０度Ｕ時曲げ、に記載の方法により測定したときの、曲げ前に対する、曲げて固定した時の伝送損失の増加が０．３ｄＢ以下である、曲げ半径のことである。
【００２８】
本発明の光ファイバの接続装置は、通常、ＰＣ管に接続された基板や収納箱内の内面に設置される。収納箱の形状は、特に限定はなく、丸型、四角型、多角形型等、様々な形状が挙げられる。収納箱の大きさは、特に制限はないが、全長６０〜１３０ｍｍ、全幅４０〜１３０ｍｍ、全高３０〜９０ｍｍであることが好ましく、全長７５〜１１５ｍｍ、全幅７０〜１１５ｍｍ、全高３３〜５５ｍｍでることがより好ましい。本発明の光ファイバの接続装置は、寸法を小さくできるため、小さな収納箱内や電話端子盤のすき間等、狭い空間に設置可能である。収納箱として具体的には、例えば既設の電話線の分岐用の収納箱、すなわちＪＩＳ  Ｃ８４３５に記載された硬質ビニル製ボックス及びそのカバー（以下、ボックス及びそのカバーは単にボックスという。）内に収納できる。好ましい硬質ビニル製ボックスとしては、露出用丸型ボックス、露出用四角ボックス等が挙げられ、露出用丸型ボックスがより好ましい。露出用丸型ボックスの寸法は、外径３５〜５５ｍｍ、高さ３３〜５８ｍｍ、厚さ１〜４ｍｍであることが好ましい。露出用四角ボックスの寸法は、縦６０〜１３０ｍｍ、横４０〜１３０ｍｍ、高さ３０〜９０ｍｍであることが好ましい。通常、既設の電話線等のコネクタ等が既に収納された収納箱に、本発明の光ファイバの接続装置は設置される。したがって、寸法の小さい収納箱内には、さらに既設の電話線及びコネクタ等が既に収納されている。本発明の光ファイバの接続装置は、寸法が小さくかつ電話線及びコネクタ等が収納された収納箱内に、容易に設置可能である。また、光ファイバケーブルとして、心線、繊維状テンションメンバおよび被覆部からなる光ファイバを用いた場合、本発明の光ファイバの接続装置は、繊維状テンションメンバを止め付けるための止め部材が必要である。該止め部材を有する光ファイバ接続装置は、前記寸法であるため、既設の電話線及びコネクタ等が収納された、前記範囲の寸法である収納箱に設置可能である。
【産業上の利用可能性】
【００２９】
本発明は、閉止することで光ファイバどうしを対向させて固定保持する挟持部材と、光ファイバどうしを閉止した挟持部材を挿入させる挿入孔を設けた固定ブロックとを備えており、光ファイバどうしを容易に接続させて、基板や収納箱内などに簡単に取付けることができ、ビル内でのＬＡＮ用の光ケーブル配線ための光ファイバ接続装置などとして有用である。
【図面の簡単な説明】
【００３０】
【図１】本発明に係る光ファイバの接続装置を示す斜視図
【図２】（Ａ）は本発明に係る光ファイバの接続装置の挟持部材２を示す斜視図、（Ｂ）はその側面図。
【図３】（Ａ）は本発明に係る光ファイバの接続装置の固定ブロックを示す平面図、（Ｂ）はその底面図、（Ｃ）はその側面図。
【図４】（Ａ）は本発明に係る光ファイバの接続装置のテンションメンバ止め部材を示す斜視図、（Ｂ）はその平面図、（Ｃ）はその側面図、（Ｄ）はその端面図。
【図５】（Ａ）は本発明に係る光ファイバの接続装置のテンションメンバ止め部材にテンションメンバをセットした状態を示す平面図、（Ｂ）はその端面図。
【図６】（Ａ）はテンションメンバ止め部材の係止孔に係止したのち固定ブロックに装着し始めたときのテンションメンバを示す平面図、（Ｂ）はその端面図。
【図７】（Ａ）はテンションメンバ止め部材を固定ブロックに完全に装着したときのテンションメンバを示す平面図、（Ｂ）はその端面図。
【図８】（Ａ）から（Ｄ）は光ファイバケーブルの心線とテンションメンバを露出させるときの作業を示す工程図。
【図９】本発明に係る固定ブロックにテンションメンバを止め付けたテンションメンバ止め部材を装着した状態を示す説明図。
【図１０】本発明に係る固定ブロックを基板に螺着した状態を示す説明図。
【図１１】本発明に係る固定ブロックに光ファイバ心線を挟んだ状態のままの挟持部材を挿入させたときの状態を示す説明図。
【図１２】（Ａ）から（Ｄ）は本発明に係る挟持部材に光ファイバ心線を挟み付けて固定するまでの作業を示す説明図。
【図１３】本発明に係る光ファイバの接続装置を用いて光ファイバ心線の接続作業を完了した状態を示す説明図。
【図１４】（Ａ）および（Ｂ）は、それぞれ、本発明に係る挟持部材の変形例を示す正面図。
【図１５】（Ａ）および（Ｂ）は、それぞれ、本発明に係る固定ブロックの挿入孔の変形例を示す正面図。
【図１６】２本の光ファイバを突き合わせて接続する方法を示す図。
【符号の説明】
【００３１】
１  光ファイバの接続装置
２  挟持部材
２１１  Ｖ溝
２１  基部
２２  蓋部
２３  ヒンジ部
２４  止着手段
２４１  嵌合突起
２４２  嵌合孔
３  固定ブロック
３１  挿入孔
３２  引出口
３３  嵌合孔
３４  ねじ孔（固定手段）
４  テンションメンバ止め部材
４１  基部
４２、４３  突起部
４４〜４６  係止孔
５  光ファイバケーブル
５０  被覆部
５１、５２、６、７  心線（プラスチック光ファイバ；ＰＯＦ）
５３  テンションメンバ
５４  心線(切断しないもの)
８  基板
９  略リング状の止着け部材
【図１】
2006048030.tif 000003
【図２】
2006048030.tif 000004
【図３】
2006048030.tif 000005
【図４】
2006048030.tif 000006
【図５】
2006048030.tif 000007
【図６】
2006048030.tif 000008
【図７】
2006048030.tif 000009
【図８】
2006048030.tif 000010
【図９】
2006048030.tif 000011
【図１０】
2006048030.tif 000012
【図１１】
2006048030.tif 000013
【図１２】
2006048030.tif 000014
【図１３】
2006048030.tif 000015
【図１４】
2006048030.tif 000016
【図１５】
2006048030.tif 000017
【図１６】
2006048030.tif 000018